(57)【要約】【課題】  部品点数の削減を図ることができる折り畳み式電子機器を提供すること。【解決手段】  本発明に係る折り畳み式電子機器は、操作部２０２を有する第１の筐体２００と、第１の筐体２００に対して折り畳まれるように回動部１０４、２０３を介して取り付けられ、表示部１０１を有する第２の筐体１００とを有する折り畳み式電子機器であって、第２の筐体１００において、回動部１０４とは反対側の端部近傍であって、折り畳み状態において第１の筐体２００に対向する対向面上に設けられた音声出力部１０５と、第２の筐体１００に他の部材を固定する固定部材２２と、固定部材２２を覆う衝撃吸収部材１０３とを有し、衝撃吸収部材１０３は音声出力部１０５を囲うように形成された一の部材からなる。【選択図】  図１
2006222534.tif 000002
【特許請求の範囲】
【請求項１】
操作部を有する第１の筐体と、当該第１の筐体に対して折り畳まれるように回動部を介して取り付けられ、表示部を有する第２の筐体とを有する折り畳み式電子機器であって、
前記第２の筐体において、回動部とは反対側の端部近傍であって、折り畳み状態において前記第１の筐体に対向する対向面上に設けられた音声出力部と、
前記第２の筐体に他の部材を固定する固定部材と、
前記固定部材を覆う衝撃吸収部材とを有し、
前記衝撃吸収部材は前記音声出力部を囲うように形成された一の部材からなる折り畳み式電子機器。
【請求項２】
前記衝撃吸収部材は折り畳み状態において前記第１の筐体に当接することを特徴とする請求項１に記載の折り畳み式電子機器。
【請求項３】
前記第２の筐体において前記衝撃吸収部材が前記対向面よりも突出していることを特徴とする請求項１又は２に記載の折り畳み式電子機器。
【請求項４】
前記衝撃吸収部材は前記表示部の端部から前記第１の筐体の端部に亘って形成されていることを特徴とする請求項１乃至３いずれかに記載の折り畳み式電子機器。
【請求項５】
前記衝撃吸収部材は前記音声出力部を露出させるための開口穴を有することを特徴とする請求項１乃至４いずれかに記載の折り畳み式電子機器。
【請求項６】
前記衝撃吸収部材がエラストマーにより形成されたことを特徴とする請求項１乃至５いずれかに記載の折り畳み式電子機器。
【発明の詳細な説明】
【技術分野】
【０００１】
本発明は折り畳み式電子機器の筐体突き当て構造に関する。
【背景技術】
【０００２】
携帯電話やノート型パソコン等の携帯式の電子機器において、携帯性の向上と非使用時の誤操作を防止するため、非使用時に操作キーが内側に位置する折り畳み式が普及している。このような折り畳み式電子機器は、筐体を折り畳んだ際に重なる面の間に空間を設けるための突き当て構造を有していることが多い。従来の筐体突き当て構造について図面を参照して説明する。図４は従来技術に係る折り畳み式電子機器の開状態の斜視図である。図４に示す折り畳み式電子機器は本体表示部１と本体キーボード部５とを有する。本体表示部１は表示部２、筐体３及び螺子隠し４を有する。本体キーボード部５は筐体６、突き当て７及びキー部８を有する。
【０００３】
図５は図４に示す折り畳み式電子機器の閉状態の側面図、図６は図５のＢ−Ｂ切断線における断面図である。図５及び図６に示すように、当該折り畳み式電子機器の閉状態においては、突き当て７が螺子隠し４に当接することによって表示部２とキー部８との間に空間９が生じる。当該空間９が存在することにより、外部から表示部２若しくはキー部８へ向けて外力が加わった際、表示部２の破損やキー部８の誤動作を最小限に抑制することができる。
【０００４】
また、先行文献１には、前面にダイアルキーを有する携帯電話機において、当該ダイアルキーを覆うためのカバーを有する携帯電話機の例が開示されている。当該カバーはダイアルキーの設けられた筐体に対して、枢軸を始点に回動可能に枢支されている。当該カバーが閉じた状態において携帯電話機のダイアルキーと当該カバーとの間に空間が形成されるように、当該カバーには突起が形成されている。このような構成により、カバーが閉じた状態でカバーに対して外力が加わった場合でも、突起がスペーサとしての役割を果たし、ダイアルキーの誤操作を防止することができる。
【特許文献１】特開２０００−１０１２６２
【発明の開示】
【発明が解決しようとする課題】
【０００５】
携帯電話機に代表される折り畳み式電子機器には、原価、日程、組立等の製品立ち上げに必要な要素への影響のため、部品点数の削減が求められている。それに対し、従来の折り畳み電子機器のように突き当て７を本体キーボード部５の筐体６に配置する場合、突き当て７とは別に本体表示部１の表示部２と筐体３とを固定する螺子を隠すための螺子隠し４が必要となり、部品点数が増加してしまう。
【０００６】
また、突き当て７を配置するためのスペースを本体キーボード部５の筐体６に確保する必要があり、突き当て７の形状によっては筐体６のデザイン上の拘束条件が増えてしまう。それに伴い、筐体６を形成するための金型構成が複雑になる可能性がある。更に、多種多様な機能を１台の折り畳み式電子機器で実現するために表示部２の大画面化が必要であるため、耳当て部の面積が縮小され耳当りが悪化してしまう。
【０００７】
尚、先行文献１では、ダイアルキーを覆うカバーとダイアルキーが設けられた面とのスペースを確保することを意図しており、折り畳み式電子機器を前提とする本発明とは異なる。
【０００８】
本発明はこのような問題を解決するためになされたものであり、部品点数の削減が可能な折り畳み式電子機器を提供することを目的とする。
【課題を解決するための手段】
【０００９】
本発明に係る折り畳み式電子機器は、操作部を有する第１の筐体（例えば、本発明の実施の形態における本体キーボード部２００）と、当該第１の筐体に対して折り畳まれるように回動部（例えば、本発明の実施の形態における枢支部１０４及び枢支部２０３）を介して取り付けられ、表示部を有する第２の筐体（例えば、本発明の実施の形態における本体表示部１００）とを有する折り畳み式電子機器であって、前記第２の筐体において、回動部とは反対側の端部近傍であって、折り畳み状態において前記第１の筐体に対向する対向面上に設けられた音声出力部と、前記第２の筐体に他の部材を固定する固定部材と、前記固定部材を覆う衝撃吸収部材（例えば、本発明の実施の形態における突き当て構造体１０３）とを有し、前記衝撃吸収部材は前記音声出力部を囲うように形成された一の部材からなる。これにより、部品点数の削減を図り、本発明の折り畳み式電子機器を例えば携帯電話に適用した際に受話部の耳当りを良好にすることができる。
【００１０】
ここで、前記衝撃吸収部材は折り畳み状態において前記第１の筐体に当接することが好ましい。これにより、折り畳み状態における第１の筐体と第２の筐体との間のスペースを確保し、表示部の破損や操作部のご操作を低減することができる。
【００１１】
また、前記第２の筐体において前記衝撃吸収部材が前記対向面よりも突出していることが好ましい。これにより、表示面の破損をより確実に防止することができる。
【００１２】
更に、前記衝撃吸収部材は前記表示部の端部から前記第１の筐体の端部に亘って形成されていることが好ましい。これにより、本発明の折り畳み式電子機器を例えば携帯電話に適用した際に、受話部の耳当りを更に確実に良くすることができる。
【００１３】
更にまた、前記衝撃吸収部材は前記音声出力部を露出させるための開口穴を有することが好ましい。これにより、本発明の折り畳み式電子機器を例えば携帯電話に適用した際に、受話部と耳とのフィットを更に向上することができ、例えば通話時の音漏れを防止することができる。
【００１４】
より好適には、前記衝撃吸収部材はエラストマーにより形成される。これにより、衝撃吸収部材として有すべき弾性及び剛性を実現することができる。
【発明の効果】
【００１５】
本発明により、部品点数の削減が可能な折り畳み式電子機器を提供することができる。
【発明を実施するための最良の形態】
【００１６】
本発明の筐体突き当て構造について図面を参照して説明する。図１は本発明に係る折り畳み式電子機器の開状態の斜視図である。図１に示す通り、本発明に係る折り畳み式電子機器は本体表示部１００と本体キーボード部２００とを有する。本体表示部１００は表示部１０１、筐体１０２、突き当て構造体１０３、枢支部１０４及び音声出力部１０５を有する。本体キーボード部２００は筐体２０１、キー部２０２、枢支部２０３及び音声入力部２０４を有する。本体表示部１００と本体キーボード部２００とは、夫々が有する枢支部１０４及び２０３において、図示しない枢軸によってお互いが固定され、当該枢軸を支点に回動可能である。
【００１７】
表示部１０１は視覚的なインターフェースであり、当該折り畳み式電子機器内部の情報を視覚的に表示する。表示部１０１の表示面には、例えば液晶パネルや有機ＥＬパネル等が用いられる。ここで、表示部１０１は表示面のみで構成される必要はなく、表示面と筐体とが組み合わされて構成されるものでも良い。表示部１０１は固定部材２２によって筐体１０２に固定される。固定部材２２には例えば螺子が用いられる。表示部１０１と筐体１０２との固定方法については後述する。筐体１０２は本体表示部１００を形作るベースであり、当該折り畳み式電子機器に必要な回路基板等が保持される。音声出力部１０５は、本実施形態が適用される折り畳み式電子機器が例えばノートパソコンであればスピーカ、携帯電話機であれば受話部等の音声を出力する手段である。
【００１８】
突き当て構造体１０３は、表示部１０１を筐体１０２に固定する固定部材２２を覆うように配置され、表示部１０１の表示面より突出して形成される。即ち、突き当て構造体１０３は、固定部材２２を隠す役割と、当該折り畳み式電子機器の閉状態における突き当ての役割を果たす。即ち、従来技術における螺子隠しの部品と突き当ての部品との２つの部品の役割を、突き当て構造体１０３が１つの部品で果たしているため、従来に比べて部品点数を削減することができ、組立工程数の低減及び原価の低減を図ることができる。部品点数削減の目的においては、突き当て構造体１０３は一部材で形成されることが好ましい。
【００１９】
また、上記の螺子止め部分には音声出力部１０５も設けられている。音声出力部１０５は本体表示部１００の表示部１０１側の表示面において、枢支部１０４とは反対側の端部近傍に形成される。突き当て構造体１０３は当該音声出力部１０５の周囲を囲うように形成される。更には、突き当て構造体１０３は筐体１０２において、枢支部１０４とは反対側の端部から、表示部１０１の枢支部１０４とは反対側の端部に亘る全体に形成されても良い。突き当て構造体１０３の材質は弾性力があり、剛性も適度に保持し、加飾の自由度もある材料が好ましい。突き当て構造体１０３の材料としては、例えばエラストマー等が挙げられる。
【００２０】
上記のように、突き当て構造体１０３は音声出力部１０５を囲うように形成されるため、開口部３１を有する。ここで、図１においては、音声出力部１０５は完全に周囲を囲まれているがこれに限定されない。例えば開口部３１が突き当て構造体１０３の外周と連結し、切り欠きが形成されていても良い。開口部３１は音声出力部１０５から出力される音声を突き当て構造体１０３が遮ることのないように設けられる。当該折り畳み式電子機器が携帯電話として用いられる場合は、突き当て構造体１０３の部分に耳を当てることとなる。ユーザが音声出力部１０５近傍に耳を当てた際、突き当て構造体１０３は自身の弾性により変形し、耳当たりが良くなるため受話感度の向上や長時間通話による耳部の痛みの低減を図ることができる。
【００２１】
筐体２０１は本体キーボード部２００を形作るベースであり、当該折り畳み式電子機器に必要な回路基板、特にキー部２０２に必要な回路基板が筐体２０１内部に保持される。キー部２０２はユーザが折り畳み式電子機器を操作するインターフェースである。キー部２０２の例としてはボタン、キーボード及びホイール等が挙げられる。音声入力部２０４は例えばマイク等の折り畳み式電子機器に音声を入力する手段である。
【００２２】
従来であれば、筐体２０１のキー部２０２が設けられた面上、特に音声入力部２０４近傍に突き当てが形成されていたが、本実施例においては上記のように突き当て構造体１０３が本体表示部１００側に形成されているため、本体キーボード部２００側には突き当てを設ける必要がない。従って、筐体２０１のデザイン自由度が向上し、商品性の向上を期待することができる。また、従来に比べて筐体２０１の形状が簡素化されるため、筐体２０１を形成するための金型構成を簡素化することも出来る。
【００２３】
次に図２及び図３を用いて本発明に係る折り畳み式電子機器の閉状態について説明する。図２は本発明に係る折り畳み式電子機器の閉状態における側面図、図３は図２におけるＡ−Ａ切断線における断面図である。本来であれば、筐体１０２及び筐体２０１内部には回路基板等の内部構成が存在するが、説明の明瞭化のため図３においては省略する。図２及び図３に示すように、当該折り畳み式電子機器の閉状態においては、突き当て構造体１０３が筐体２０１に当接することによって表示部１０１とキー部２０２との間に空間３００が生じる。
【００２４】
ここで、図２に示されるように、キー部２０２が筐体２０１から突出して形成される場合は、キー部２０２の突出高さは突き当て構造体１０３の表示面からの高さよりも低く形成される。当該空間３００が存在することにより、外部から表示部１０１若しくはキー部２０２へ向けて外力が加わった場合でも、表示部１０１とキー部２０２若しくは筐体２０１との接触を避け、表示部１０１の破損やキー部２０２の誤動作を最小限に抑制することができる。
【００２５】
図３に示されるように、筐体１０２は固定部材２２を受けるための固定受け部２１を有する。また、固定部材２２は係止部２２１と軸部２２２を有する。表示部１０１と筐体１０２との固定部分において、表示部１０１は図３に示されるような窪み及び開口穴を有し、固定部材２２の係止部２２１が当該窪みに収納される。軸部２２２は表示部１０１の開口穴を貫通し、固定受け部２１に挿入されることによって表示部１０１と筐体１０２とが固定される。係止部２２１の上に突き当て構造体１０３が設けられることにより、係止部２２１が隠れる。
【００２６】
突き当て構造体１０３が有する開口部３１は、図に示されるように表示部１０１との接触面においては、少なくとも音声出力部１０５が露出するだけの大きさであり、突き当て構造体１０３の表面側では音声出力部１０５の大きさよりも広がるように形成される。これにより、音声出力部１０５からの音声の伝達を向上すると共に、本実施例に係る折り畳み式電子機器を携帯電話に適用した場合には、突き当て構造体１０３と耳とがより好適にフィットするため、外部への音漏れや長時間通話による耳部の痛みを軽減することができる。
【００２７】
以上説明したように、本発明に係る折り畳み式電子機器では、部品点数の削減を図ることができ、以って組立工程数の低減、原価の低減を図ることができる。
【００２８】
また、本実施例の他の効果として、本実施例に係る折り畳み式電子機器を携帯電話に適用した場合には、受話部周辺を覆う突き当て構造体１０３が、自身が有する弾性により耳が当たった際に変形し、耳当たりが良くなるため受話感度の向上や長時間通話による耳部の痛みの低減を図ることができる。
【図面の簡単な説明】
【００２９】
【図１】本発明の実施の形態に係る折り畳み式電子機器の開状態での斜視図である。
【図２】本発明の実施の形態に係る折り畳み式電子機器の閉状態での側面図である。
【図３】本発明の実施の形態に係る折り畳み式電子機器の閉状態での断面図である。
【図４】従来技術に係る折り畳み式電子機器の開状態での斜視図である。
【図５】従来技術に係る折り畳み式電子機器の閉状態での側面図である。
【図６】従来技術に係る折り畳み式電子機器の閉状態での断面図である。
【符号の説明】
【００３０】
１  本体表示部、２  表示部、３  筐体、４  螺子隠し、５  本体キーボード部、
６  筐体、７  突き当て、８  キー部、９  空間、２１固定受け部、２２固定部材、
３１  開口部、１００  本体表示部、１０１  表示部、１０２  筐体、
１０３  突き当て構造体、１０４  枢支部、１０５  音声出力部、
２００  本体キーボード部、２０１  筐体、２０２  キー部、２０３  枢支部、
２０４  音声入力部、２２１  係支部、２２２  軸部、３００  空間
【図１】
2006222534.tif 000003
【図２】
2006222534.tif 000004
【図３】
2006222534.tif 000005
【図４】
2006222534.tif 000006
【図５】
2006222534.tif 000007
【図６】
2006222534.tif 000008